(57)【要約】      （修正有）【課題】設備、維持管理を抑え屋根からの雪下ろしの重労働の軽減、屋根からの転落等の危険の減少、家屋の倒壊を抑える雪下ろし装置を提供する。【解決手段】丸棒１１を縦方向に並べ組み込んだポリカーボネート板３で屋根全体を覆い、屋根頂部の鉄板４と端部をスプリング５で結節したポリカーボネート中空板６下面に丸棒１１とアルミパイプ７を組み合わせて横方向に組み込み、丸棒上を転がり滑るようにし、潤滑油を密閉し薄膜状にしたマット１３をポリカーボネート中空板上に固着し、鉄板とスプリングで端部を連結させた耐候性シート１２を敷設し、シートはスプリングに抗する屋根上の雪の重み圧力で屋根下方向に滑り、屋根中央部の雪割り板８と勾配４５°〜５０°の雪受け棚部を支える脚部はスキー板状で、雪受け棚部９及び脚部スキー板１０は屋根１を跨ぐように位置し、雪受け棚部上の積雪及びそこからの落雪の圧力変化でスキー板が動き屋根上の雪を落とす。【選択図】図１
2015105567.tif 000002
【特許請求の範囲】
【請求項１】
既存の屋根上に敷設したポリカーボネート板（３）上には、縦方向に丸棒（１１）が並べ組み込まれており、上端をスプリング（５）で屋根頂上の鉄板（４）と連結したポリカーボネート中空板（６）下には丸棒（１１）とアルミパイプ（７）を組み合わせ横方向に並べ組み込まれている。上記各板（３）（６）は丸棒（１１）とアルミパイプ（７）の点接触による転がり滑り作用で屋根下方向に移動する。更に耐油性シートを袋状にした中に潤滑油を薄膜状に内蔵密閉したマット（１３）を上記ポリカーボネート中空板（６）上に貼り付けその上に上端を上記鉄板（４）とスプリング（５）で連結した耐候性シート（１２）を屋根上に覆う構造、組み合わせをした屋根の雪下ろし装置。
【請求項２】
屋根中央頂上部上に取り付けた雪割り板（８）の下に４５°〜５０°の傾斜のポリカーボネート中空板製の雪受け棚部（９）を設けそれを支える脚部はスキー板（１０）状でスキー板裏面には上記潤滑油入りマット（１３）を貼り付け上記屋根上の耐候性シート（１２）上に設置される。雪受け棚部（９）は屋根上を跨ぐ様にスプリング（５）で連結し棚部に積もった雪の重みがスプリングの張力に抗して広がり屋根下方向にスキー板（１０）が動き上記耐候性シート（１２）上の雪を落とす作用をする。雪割り板、雪受け棚部及びスキー板の組み合せた特徴の構造の作動が前記各板（３）（６）間の滑り転がり効果更にポリカーボネート中空板（６）と上記耐候性シート（１２）間の滑り効果を誘導し屋根の雪を落す特徴を有する雪落とし装置。
【発明の詳細な説明】
【技術分野】
【０００１】    既存の屋根に着脱可能で屋根に積もった雪を屋根に上って雪下ろしないで済む屋根の雪下ろし装置に関する。
【背景技術】
【０００２】    概して克雪住宅には大別して落雪式住宅、融雪式住宅、耐雪式住宅となるが、本案は落雪式住宅に関するものである。一般に屋根の勾配は３／１０程度で人力で屋根の雪下ろしを行う。住人の高齢化、地域の過疎化、重労働、屋根からの転落の危険、雪下ろし費用の負担増等各家庭及び各自治体には深刻である。【０００３】    落雪式住宅を４０°以上の急勾配の屋根構造やドーム型屋根構造に設備するには簡単ではない。実用新案登録第３１７９５５４号には平坦な屋根に急勾配の骨組みの積雪防止案を提案しているが強度や組み立てに不安がある。【０００４】    特開第２００７−３０９０１８号公報では撥水性、耐水性カバーを屋根全体に覆って雪を落雪させようと提案している。雪質は地域により水分量が異なり、積雪量も気候変化や地形地域で極端に厳しく簡単ではない。【０００５】    特開第２０１２−２３３３５９号公報では屋根をシートで被い手動でシートの端を引いて屋根の雪を落としている。屋根からの雪に埋もれる危険がある。【０００６】    特開第２００７−４６４２９号公開ではベルトコンベアーを回転させ屋根の雪をおとす装置は製造組み立てが負担である。【０００７】    特開第２００１−２０７６８６号公報、特開第２００７−２４７３７０号公報、実願第３１６６３７０号公報には屋根の上のシートを動力で回転させる構造の装置での雪下ろしを提案しているが、設備費、維持管理、可動部分の補修が大変と思える。
【先行技術文献】
【特許文献】
【０００８】
【特許文献１】  特開第２００１−２０７６８６号公報
【特許文献２】  特開第２００７−１９１９１３号公報
【特許文献３】  特開第２００７−２０５０３７号公報
【特許文献４】  特開第２００７−２１７９８３号公報
【特許文献５】  特開第２００７−２４７３７０号公報
【特許文献６】  特開第２００７−２５４９９１号公報
【特許文献７】  特開第２００７−２９１８２０号公報
【特許文献８】  特開第２００７−３０９０１８号公報
【特許文献９】  特開第２００７−４６４２９号公報
【特許文献１０】  特開第２０１２−２３３３５９号公報
【実用新案文献】
【０００９】
【実用新案文献１】
実用新案登録第３１２２８４３号公報
【実用新案文献２】
実用新案登録第３１６６３７０号公報
【実用新案文献３】
実用新案登録第３１７９５５４号公報
【発明の概要】
【発明が解決しようとする課題】
【００１０】    屋根の雪下ろしに関する先行技術等が多く示されているが普及していない現状であり気候変動、住人の高齢化、地域の過疎化等各家庭及び各自治体にとり精神的、経済的、人的重労働及び生命の危険の軽減が求められている。
【課題を解決するための手段】
【００１１】    既存の屋根（１）全体を耐候性シート（２）を保護として覆いその上にポリカーボネート板（３）を敷設する。ポリカーボネート板（３）の上部には丸棒（１１）を縦方向に並べ組み込む。図（４）。ポリカーボネート板は屋根全体に屋根頂部を跨ぐように敷き詰める。その上にポリカーボネート中空板（６）上端を屋根頂部を跨いで設置した鉄板（４）とスプリング（５）で連結して屋根下方向に動くようにしてある図（７）。当該ポリカーボネート中空板下面には丸棒（１１）とアルミパイプ（７）を組み合わせ横方向に並べ組み立て図（５）、丸棒と丸棒及びアルミパイプが縦、横方向で交差しポリカーボネート板（３）の上でポリカーボネート中空板（６）が点接触状に転がり滑るようにする。【００１２】    ポリカーボネート中空板（６）の上部には耐候性シート（１２）端部を前記屋根頂部の鉄板（４）とスプリング（５）にて連結した状態で屋根全体に敷設する図（１１）。耐油性シートを袋状にし潤滑油を薄膜状に密閉したマット図（９）をポリカーボネート中空板（６）上に固着させる。上記耐候性シート（１２）はシート上に圧力がかかると該マット（１３）の効果により屋根下方向にずれ動く。【００１３】    屋根中央部に雪割り板（８）と４５°〜５０°の角度の雪受け棚部（９）を設けそれを受け支える脚部はスキー板（１０）状にし前記耐候性シート（１２）に設置する図（１１）。上記棚部及び脚部スキー板部は屋根両側で屋根頂部を跨ぐようにスプリング（５）で連結し固定されている。スキー板の裏面には前記潤滑油入りマット（１３）を固着してある。雪受け棚部（９）の上に積もった雪の重みがスプリング（５）の張力に抗して脚部スキー板が屋根下方向に滑り上記耐候性シート（１２）上の雪を屋根下に落とす動きをする。
【発明の効果】
【００１４】    複雑かつ精密な構造及び組立が不要であり設備費、維持費が少ない。上記板（３）（６）同志は丸棒（１１）と丸棒（１１）及びアルミパイプ（７）との点接触により上記板の上への圧力により転がり滑り効果が雪を落とす屋根下方向の動きを発生する。上記板（６）と耐候性シート（１２）は潤滑油入りマット（１３）の効果で上記板（６）への圧力が屋根下方向の滑りを引き出す。屋根上の雪割り部と雪受け棚部への雪の積雪及びそれを下支えするスキー板による屋根下方向への動き並びに耐候性シート上への積雪の重量の圧力は各材料とその組み合わせによる上記点接触効果による転がり滑り並びに潤滑油入りマットの滑り効果が複合的誘発的に作用し屋根下方向への動きは屋根の雪を雪崩発生的に落とす効果がある。
【図面の簡単な説明】
【００１５】
【図１】  総合参考図
【図２】  屋根上の耐候性シート
【図３】  屋根上のポリカーボネート板及び丸棒縦方向配置図
【図４】  ポリカーボネート板及び丸棒の組み立て図
【図５】  ポリカーボネート板の丸棒組み立て横断面図
【図６】  ポリカーボネート板の丸棒組み立て縦断面図
【図７】  ポリカーボネート中空板及び丸棒、アルミパイプ配置図とスプリング
【図８】  ポリカーボネート中空板丸棒アルミパイプ組み立て断面図
【図９】  耐油性シート製袋状薄潤滑油膜マット
【図１０】  屋根上部の雪割り板、雪受け棚部及び脚部スキー板の配置図
【図１１】  屋根上部の雪割り板、雪受け棚部及び脚部スキー板と下部耐候性シート並びに袋状薄潤滑油膜マットの配置図
【発明を実施するための形態】
【００１６】    屋根の保護の為耐候性シート（２）を屋根全体に覆いその上部にポリカーボネート板（３）を屋根全体に敷設、当ポリカーボネート板（３）上には丸棒（１１）を縦方向に組み込み配置する図（３）。丸棒（１１）とアルミパイプ（７）を組み合わせ横方向にポリカーボネート中空板（６）下面に組み込み配置した当該ポリカーボネート中空板上端は屋根を跨ぐように設置した鉄板（４）とスプリング（５）により連結されていて、上記ポリカーボネート板（３）上設置した丸棒（１１）とアルミパイプ（７）との点接触による転がり滑り作用を発生し上記ポリカーボネート中空板（６）は屋根上に雪の重量による圧力が発生した場合、屋根下方向にスプリング（５）に抗してスプリングを伸ばして屋根下方向に動く。
【００１７】    前記ポリカーボネート中空板（６）には耐油性シートを袋状にし潤滑油を薄膜状に密閉したマット（１３）を固着させておき、その上に前記屋根上の鉄板（４）と耐候性シート（１２）の上端部をスプリング（５）で連結させた当該耐候性シート（１２）は潤滑油入り薄膜マット（１３）を介して接触し当該耐候性シート（１２）は屋根の雪の重量の圧力でスプリング（５）を伸ばして屋根下方向に動く。
【００１８】    屋根の頂部には雪割り板（８）とその下に勾配４５〜５０でポリカーボネート中空板製の雪受け棚部（９）を設けそれらを支えうける脚部は、スキー板（１０）状でスキー板裏面には前記の潤滑油入り薄膜マット（１３）を固着され当該スキー板は上記耐候性シート（１２）上に設置される。雪受け棚部（９）及び当該スキー板部は屋根中央位置でスプリング（５）で固定連結されている。雪受け棚部に積もった雪の重量の下方向圧力がスプリング（５）を伸ばしスキー板が屋根下方向に動き当該耐候性シート（１２）も屋根下方向に動くことで雪受け棚部上の雪も当該耐候性シート（１２）の上の雪も勢い落ち、上記各板（３）（６）の間の転がり滑り効果及び板（６）と耐候性シート（１２）の間の潤滑油入り薄膜マットの滑り効果との複合作用が屋根下方向の動きが屋根の雪を屋根から落とす。
【産業上の利用の可能性】
【００１９】    屋根の雪下ろしに伴う各家庭、各自治体の精神的、経済的、人的重労働及び生命の危険等それらの負担のは軽減は喫緊の課題であり、その課題に対し当該発明は簡易な構造及び各材料の組合せにより滑り、転がり作用を複合的、誘発的に引出して屋根に上らずに雪下ろしの出来しかも小経費、再構築可能な装置である故、利用性は大と思われる。
【符号の説明】
【００２０】１        屋根部
２        耐候性シート
３        ポリカーボネート板
４        屋根頂部の鉄板
５        スプリング
６        ポリカーボネート中空板
７        アルミパイプ
８        雪割り部
９        雪受け棚部
１０      スキー板
１１      丸棒
１２      耐候性シート
１３      耐油性シート製の潤滑油入り薄膜状マット
１４      屋根の雪割り部及び雪受け棚部と屋根部との支柱
【図１】
2015105567.tif 000003
【図２】
2015105567.tif 000004
【図３】
2015105567.tif 000005
【図４】
2015105567.tif 000006
【図５】
2015105567.tif 000007
【図６】
2015105567.tif 000008
【図７】
2015105567.tif 000009
【図８】
2015105567.tif 000010
【図９】
2015105567.tif 000011
【図１０】
2015105567.tif 000012
【図１１】
2015105567.tif 000013
【手続補正書】
【提出日】平成26年6月30日(2014.6.30)
【手続補正１】
【補正対象書類名】特許請求の範囲
【補正対象項目名】請求項１
【補正方法】変更
【補正の内容】
【請求項１】
既存の屋根上にポリカーボネート板（３）、その上にポリカーボネート中空板（６）、更にその上に耐候性シート（１２）の順に敷設され、ポリカーボネート中空板（６）及び耐候性シート（１２）の屋根方向上端部は屋根頂上部の鉄板（４）と夫々スプリング（５）で連結してあり、ポリカーボネート板（３）とポリカーボネート中空板（６）の間には縦方向に並べ組込まれた丸棒（１１）とアルミパイプ（７）に挿通され横方向に並べられた丸棒（１１）が点接触状態に組み込まれており、並びにポリカーボネート中空板（６）と耐候性シート（１２）の間には耐油性シートを袋状にした中に潤滑油を薄膜状に内蔵密閉したマット（１３）を上記ポリカーボネート中空板（６）上に貼り付けてあり夫々転がり作用と滑り作用を引き出す構造を特徴とする屋根の雪下ろし装置。
【手続補正２】
【補正対象書類名】特許請求の範囲
【補正対象項目名】請求項２
【補正方法】変更
【補正の内容】
【請求項２】
請求項１の屋根の雪下し装置であって、更に屋根中央頂上部上に取り付けた雪割り板（８）と、雪割り板（８）の下に設けられて屋根頂上を跨ぐ様にスプリング（５）で連結されて４５°〜５０°の傾斜勾配とされたポリカーボネート中空板製の雪受け棚部（９）と、雪受け棚部（９）の下部に設けられたスキー板状の脚部（１０）で構成され、上記脚部（１０）のスキー板状裏面に耐油性シートを袋状にした中に潤滑油を薄膜状に内蔵密閉したマット（１３）が貼り付けられた当該スキー板状脚部（１０）は上記屋根上の耐候性シート（１２）上に着設された構造を有し、前記雪受け棚部（９）に積もった雪の重みがスプリング（５）の張力に抗して広がり屋根下方向に脚部スキー板（１０）が動くことにより、雪割り板（８）、雪受け棚部（９）及び脚部スキー板（１０）の組み合わされた構造の作動が、前記ポリカーボネート板（３）とポリカーボネート中空板（６）との間の滑り転がり作用、更にポリカーボネート中空板（６）と上記耐候性シート（１２）との間の滑り作用を同時に複合的に誘発し、屋根の上の雪を落とす作用並びに落ちる効果を引き出す構造を特徴とする屋根の雪下し装置。
【手続補正書】
【提出日】平成26年10月8日(2014.10.8)
【手続補正１】
【補正対象書類名】特許請求の範囲
【補正対象項目名】請求項１
【補正方法】変更
【補正の内容】
【請求項１】
既存の屋根上にポリカーボネート板（３）、その上にポリカーボネート中空板（６）、更にその上に耐候性シート（１２）の順に敷設され、ポリカーボネート中空板（６）及び耐候性シート（１２）の屋根方向上端部は屋根頂上部の鉄板（４）と夫々スプリング（５）で連結してあり、ポリカーボネート板（３）とポリカーボネート中空板（６）の間には縦方向に並べ組込まれた丸棒（１１）とアルミパイプ（７）に挿通され横方向に並べられた丸棒（１１）が点接触状態に組み込まれており、並びにポリカーボネート中空板（６）と耐候性シート（１２）の間には耐油性シートを袋状にした中に潤滑油を薄膜状に内蔵密閉したマット（１３）を上記ポリカーボネート中空板（６）上に貼り付けて構成され、縦方向に並べ組込まれた上記丸棒（１１）と上記アルミパイプ（７）との点接触による転がり滑り作用と、上記潤滑油入りマットの滑り作用が複合的に作用して屋根の雪を落とすことを特徴とする屋根の雪下し装置。
【手続補正２】
【補正対象書類名】特許請求の範囲
【補正対象項目名】請求項２
【補正方法】変更
【補正の内容】
【請求項２】
請求項１記載の屋根の雪下ろし装置であって、更に屋根中央頂上部上に取り付けた雪割り板（８）と、雪割り板（８）の下に設けられて屋根頂上を跨ぐ様にスプリング（５）で連結されて４５°〜５０°の傾斜勾配とされたポリカーボネート中空板製の雪受け棚部（９）と、雪受け棚部（９）の下部に設けられたスキー板状の脚部（１０）とを有し、上記脚部（１０）のスキー板状裏面には耐油性シートを袋状にした中に潤滑油を薄膜状に内蔵密閉したマット（１３）が貼り付けられ、当該スキー板状脚部（１０）は上記屋根上の耐候性シート（１２）上に設置され、前記雪受け棚部（９）に積もった雪の重みによりスプリング（５）が伸ばされて屋根下方向に脚部スキー板（１０）が動き上記耐候性シート（１２）も屋根下方向に動き、雪割り板（８）、雪受け棚部（９）及び脚部スキー板（１０）の組みわされた構造の作動が、前記ポリカーボネート板（３）とポリカーボネート中空板（６）との間の滑り転がり作用、更にポリカーボネート中空板（６）と上記耐候性シート（１２）との間の滑り作用を誘発し、屋根の上の雪を落とす作用を引き出すことを特徴とする屋根の雪下ろし装置。